(57)【要約】【課題】商用給電から蓄電エネルギ給電への切替時間を短くして、切替時に発生する負荷の誤動作（停止も含む）を防止する。【解決手段】商用電源の瞬時電圧を所定周期でサンプリングし、そのサンプリング毎の瞬時電圧を予め記憶部に記憶した上限値及び下限値と比較し、瞬時電圧が上限値を超えているか、または、瞬時電圧が下限値未満となる回数をカウントし、このカウント値が所定の判定値を超えたときに商用電源異常と判定することで、商用電源の異常検知に要する時間を短くする。また、接続時間が短いトライアック３及び遮断時間が短いラッチリレー４を商用電源１００と負荷２００との間に並列接続し、商用電源異常時には、ラッチリレー４をＯＦＦとして商用系統を高速遮断する。さらに、商用電源復帰時には、トライアック３をＯＮとすることにより商用給電の復帰を高速で行う。【選択図】図１
2008043144.tif 000002
【特許請求の範囲】
【請求項１】
商用電源からの電力の負荷への給電／遮断を切り替える切替手段と、前記切替手段の前記負荷側に接続された蓄電手段とを備え、商用電源が正常時にはその商用電源からの電力を前記負荷に給電し、商用電源が異常時には当該商用電源から前記負荷への給電を遮断するとともに、前記蓄電手段の蓄電エネルギを前記負荷に給電する常時商用給電方式の無停電電源装置において、
前記切替手段を制御する制御部を備え、前記制御部は、商用電源の瞬時電圧を所定周期でサンプリングし、そのサンプリング毎の瞬時電圧を予め記憶部に記憶した上限値及び下限値と比較し、瞬時電圧が上限値を超えているか、または、瞬時電圧が下限値未満となる回数が所定値を超えたときに商用電源異常と判定して前記切替手段を遮断側に切り替えることを特徴とする無停電電源装置。
【請求項２】
請求項１記載の無停電電源装置において、
前記切替手段が、商用電源と負荷との間に互いに並列に接続される半導体交流スイッチと電磁接触器とを備え、前記制御部は、商用電源が正常時には、前記半導体交流スイッチをＯＦＦ、前記電磁接触器をＯＮとして商用電源からの電力を前記負荷に給電し、商用電源が異常時には、前記電磁接触器をＯＦＦとして商用電源から前記負荷への電源供給系統を遮断し、商用電源が異常から正常に復帰したときには、前記半導体交流スイッチをＯＮとして商用電源からの電力を前記負荷に給電し、次いで前記電磁接触器をＯＮとした後に前記半導体交流スイッチをＯＦＦとすることを特徴とする無停電電源装置。
【発明の詳細な説明】
【技術分野】
【０００１】
本発明は、常時商用給電方式の無停電電源装置に関する。
【背景技術】
【０００２】
無停電電源装置（ＵＰＳ：ｕｎｉｎｔｅｒｒｕｐｔｉｂｌｅ  ｐｏｗｅｒ  ｓｕｐｐｌｙ）は、コンピュータなどに代表されるように、一瞬たりとも停止できず、安定した交流電力を供給することが必要である負荷に対し、商用電源の異常（停電や瞬時電圧低下等）から負荷を保護するために設置されている。
【０００３】
無停電電源装置は、一般に蓄電池を備えており、商用電源が正常時（平常時）には蓄電池の充電を行い、商用電源が異常時には蓄電池から負荷に電力を供給して、負荷の停止や誤動作を防止している。
【０００４】
無停電電源装置の給電方式には、常時インバータ方式や常時商用給電方式などがある（例えば、特許文献１参照。）。
【０００５】
常時インバータ方式の無停電電源装置は、商用電源に負荷がコンバータ回路及びインバータ回路を介して接続されており、商用電源が正常時には負荷に商用電源からの電源をコンバータ回路及びインバータ回路を介して供給し、商用電源が異常時には商用電源に替えて蓄電池の蓄電エネルギを負荷に給電する方式である。このような常時インバータ方式の無停電電源装置においては、インバータ回路及びコンバータ回路を利用して平常時にも商用電源からの電力を２回変換するので、変換ロスが大きくて効率が悪い。このため、無停電電源装置自体の消費電力が多くなるという問題がある。
【０００６】
一方、常時商用給電方式の無停電電源装置は、商用電源が正常時にはその商用電源からの電力をそのまま負荷に給電し、商用電源が異常時には例えば半導体交流スイッチの切替によって商用電源から負荷への給電を遮断するとともに、蓄電池の蓄電エネルギを負荷に給電する方式であるので、無停電電源装置自体の消費電力が少なくて済む。なお、以下の説明において、商用電源から負荷への電源供給を「商用給電」という場合もある。また、蓄電池から負荷への蓄電エネルギ供給を「蓄電エネルギ給電」という場合もある。
【特許文献１】特開２００５−２８７１２５号公報
【発明の開示】
【発明が解決しようとする課題】
【０００７】
ところで、常時商用給電方式の無停電電源装置においては、商用電源の異常時に商用給電から蓄電エネルギ給電に切り替える際の切替時間は短いことが好ましい。具体的には、切替時間が５ｍｓ以下であれば、一般的なＡＣ１００Ｖ使用の負荷に対して実質的に無瞬断で電源を供給し続けることが可能になる。この点（実質上の無瞬断）については後述する。
【０００８】
しかしながら、商用電源の異常検知に要する時間、及び、異常検知後の商用電源系統（以下、商用系統ともいう）の遮断に要する時間の関係上、商用給電から蓄電エネルギ給電への切替時間を短くすることが難しく、５〜１０ｍｓ程度の切替時間を要しているのが現状である。なお、商用給電から蓄電エネルギ給電への切替に１０ｍｓ程度の時間を要し、その間において負荷に電力が供給されない状態が継続されると、負荷の誤動作や動作停止が起こる可能性がある。
【０００９】
本発明はそのような実情を考慮してなされたもので、商用給電から蓄電エネルギ給電への切替時間を短くすることができ、切替時に発生する負荷の誤動作（停止も含む）を防止することが可能な常時商用給電方式の無停電電源装置の提供を目的とする。
【課題を解決するための手段】
【００１０】
まず、本発明では、常時商用給電方式の無停電電源装置において、商用電源の異常検知に要する時間を短くして、商用給電から蓄電エネルギ給電への切替時間を短くする点に特徴がある。その具体的な構成を以下に説明する。
【００１１】
本発明は、商用電源からの電力の負荷への給電／遮断を切り替える切替手段と、前記切替手段の前記負荷側に接続された蓄電手段とを備え、商用電源が正常時にはその商用電源からの電力を前記負荷に給電し、商用電源が異常時には当該商用電源から前記負荷への給電を遮断するとともに、前記蓄電手段の蓄電エネルギを前記負荷に給電する常時商用給電方式の無停電電源装置において、前記切替手段を制御する制御部を備え、前記制御部は、商用電源の瞬時電圧を所定周期でサンプリングし、そのサンプリング毎の瞬時電圧を、予め記憶部に記憶した上限値及び下限値と比較し、瞬時電圧が上限値を超えているか、または、瞬時電圧が下限値未満となる回数が所定値を超えたときに商用電源異常と判定して前記切替手段を遮断側に切り替えることを特徴としている。
【００１２】
このように、本発明によれば、商用電源の瞬時電圧を所定周期でサンプリングし、そのサンプリング毎の瞬時電圧を、予め記憶部に記憶した上限値及び下限値と比較し、瞬時電圧が上限値を超えているか、または、瞬時電圧が下限値未満となる回数をカウントし、このカウント値が所定値（判定値）を超えたときに商用電源異常と判定しているので、瞬時電圧のサンプリング時間及び異常判定の判定値の設定を考慮することにより、商用電源の異常検知に要する時間を短くすることができる。具体的には、瞬時電圧のサンプリング周期を２５０μｓ、異常判定の判定値を「８」とすることで、２ｍｓの所要時間で商用電源の異常を検知することができる。これによって、商用給電から蓄電エネルギ給電への切替時間を短くすることが可能になる。
【００１３】
ここで、商用給電から蓄電エネルギ給電への切替の高速化を実現するため、商用電源異常の高速検知に加えて、異常検知後の商用系統の遮断を高速に行えるようにすることも重要なポイントである。この点について説明する。
【００１４】
まず、蓄電エネルギ給電時に商用系統が無停電電源装置に接続された状態で、商用系統が短絡状態である場合、過大な短絡電流が蓄電エネルギから供給されることとなり、直交変換装置や蓄電池に損傷を与えるおそれがある。このため、商用電源異常には商用系統を迅速に遮断する必要があるが、商用系統の切替に用いられている半導体交流スイッチ（例えばトライアック）では、遮断に最大１０ｍｓ（商用周波数の１／２周期）の時間を要するため、切替時間５ｍｓ（商用周波数の１／４周期）の実現はできない。
【００１５】
そこで、本発明では、半導体交流スイッチと、遮断時間が短い電磁接触器（遮断時間２〜３ｍｓ）とを用い、その半導体交流スイッチと電磁接触器とを商用電源と負荷との間に並列に接続し、これら半導体交流スイッチ及び電磁接触器のＯＮ／ＯＦＦを制御することにより、商用系統の高速遮断を実現するとともに、商用電源の復帰時の商用給電への切替の高速化を実現する。
【００１６】
具体的には、商用電源が正常時には、半導体交流スイッチをＯＦＦ、電磁接触器をＯＮとして商用電源からの電力を前記負荷に給電し、商用電源が異常時には、電磁接触器をＯＦＦとして商用電源から負荷への電源供給系統を遮断することにより、異常時の商用系統の高速遮断（２〜３ｍｓ）を実現する。そして、商用電源が異常から正常に復帰したときには、半導体交流スイッチをＯＮとして商用電源からの電力を負荷に給電し、次いで、電磁接触器をＯＮとした後に半導体交流スイッチをＯＦＦとする。
【００１７】
このように復帰時に、先に電磁接触器をＯＮとしない理由は、電磁接触器は接点がＯＦＦとなる復帰時間が高速（２〜３ｍｓ）であるが、接点ＯＮとなるときの動作時間が１０ｍｓと長いという特性があるためである。そこで、本発明では、半導体交流スイッチが例えば数μｓの接続時間でＯＮとなる点を利用し、復帰時には、まずは半導体交流スイッチをＯＮとすることにより、蓄電池エネルギ給電中の場合には実質上の無瞬断で商用給電へ切替することができる。さらに、本発明では、半導体交流スイッチＯＮの後に電磁接触器をＯＮとし、この電磁接触器ＯＮの後に半導体交流スイッチをＯＦＦにしているので、半導体交流スイッチに商用電源からの電力が流れる時間を短くすることができ、半導体交流スイッチでの電力損失を抑制することができる。
【００１８】
以上のように、本発明では、商用電源の異常検知に要する時間を２ｍｓにすることが可能である。また、商用電源異常時の商用系統を２〜３ｍｓで遮断することが可能であり、従って、商用電源異常時の商用給電から蓄電エネルギ給電への切替時間を５ｍｓ以下に抑えることが可能になる。
【００１９】
−実質上の無瞬断について−
（１）まず、図５に示すように、ＡＣ１００Ｖにおいて、正弦波ピーク値を中心に５ｍｓ停電する場合に実効値が最も小さくなり、計算上、５０Ｈｚの場合は７６．６Ｖ、６０Ｈｚの場合は７３．８Ｖとなる。
【００２０】
（２）一方、ＪＩＳ  Ｃ  ４４１１−３：２００４「無停電電源装置−性能及び試験要求事項」（図１、図２参照）において、正常値に対し−３０％以上の電圧を維持することができるのであれば、ほとんどの負荷に対して問題がないことが示唆されている。
【００２１】
従って、本発明では、上記（１）及び（２）により５ｍｓの瞬時停電を「実質上の無瞬断」と判断する。
【発明の効果】
【００２２】
本発明によれば、商用電源異常時の商用給電から蓄電エネルギ給電への切替時間を短くすることができるので、負荷に無瞬断で給電を継続することができ、切替時に発生する負荷の誤動作（停止も含む）を防止することができる。
【発明を実施するための最良の形態】
【００２３】
以下、本発明の実施形態を図面に基づいて説明する。
【００２４】
図１は本発明の無停電電源装置の一例を示す回路構成図である。
【００２５】
この例の無停電電源装置１は、商用電源（ＡＣ１００Ｖ）１００が正常時にはその商用電源１００からの電力をそのまま負荷２００に給電し、商用電源１００が異常時には当該商用電源１００から負荷２００への給電を遮断するとともに、蓄電池６の蓄電エネルギを負荷２００に給電する常時商用給電方式の無停電電源装置である。
【００２６】
無停電電源装置１は、商用電源１００と負荷２００との間に直列に接続される突入電流防止素子（例えば抵抗）２及びトライアック（半導体交流スイッチ）３、商用電源１００と負荷２００との間に前記トライアック３に対して並列に接続されるラッチリレー（自己保持形電磁接触器）４、トライアック３の負荷２００側に接続される双方向変換回路５、蓄電池６、制御電源回路７、及び、制御部８などを備えている。なお、突入電流防止素子２及びトライアック３を有する回路系をＡ回路、ラッチリレー４を有する回路系をＢ回路という。ここで、この例に適用するトライアック３はＯＮとなるときの接続時間が数μｓである。また、ラッチリレー４は遮断時間が２〜３ｍｓである。
【００２７】
双方向変換回路５は、商用電源１００からの交流を直流に変換して蓄電池６に出力する交／直変換と、蓄電池６に蓄電された蓄電エネルギ（直流）を交流に変換して負荷２００に出力する直／交変換とを行うことができる。双方向変換回路５の交／直変換と直／交変換との切り替えは制御部８によって制御される。制御電源回路７は、制御部８等の無停電電源装置１の各部に電力を供給する回路である。
【００２８】
制御部８は、トライアック３及びラッチリレー４のＯＮ／ＯＦＦを制御する。具体的には、トライアック３に制御信号Ｓｔを後述するタイミングで供給して、トライアック３を所定時間だけＯＮにする。また、ラッチリレー４にセット信号Ｓまたはリセット信号Ｒを後述するタイミングで供給してラッチリレー４のＯＮ／ＯＦＦを制御する。
【００２９】
制御部８は、商用電源１００からの入力電圧を２５０μｓのサンプリング周期で採取する。入力電圧のサンプリングライン９ａには、全波整流用のダイオードブリッジ９が接続されており、図４に示すように、全波整流後の瞬時電圧ｓ１，ｓ２，ｓ３，・・，ｓｎを２５０μｓのサンプリング周期で採取する。
【００３０】
また、制御部８は記憶部８１及びカウンタ８２などを備えている。記憶部８１は、図４に示す上限テーブル波形Ｔｈ１、下限テーブル波形Ｔｈ２、正常判定の判定値（例えば「３０」）、並びに、後述する差値に対する判定値（例えば「８」）などが予め記憶されており、その記憶部８１内の記憶テーブル・記憶値及びカウンタ８２などを用いて、商用電源１００の正常・異常（停電や瞬時電圧低下等）を判定（検知）する。
【００３１】
ここで、この例では商用電源１００がＡＣ１００Ｖであるので、そのＡＣ１００Ｖに対して±１０％の範囲を判定の上限・下限としている。具体的には、上限テーブル波形Ｔｈ１を、実効値１１０Ｖの正弦波を全波整流した波形を基に作成している。また、下限テーブル波形Ｔｈ２を、実効値９０Ｖを全波整流した波形を基に作成している。なお、この例において、図４に示すように、ゼロクロス前後（約２５Ｖ未満）は、２５０μｓの周期でサンプリングした瞬時電圧ｓｎと、そのサンプリングごとの上限値・下限値との差が小さくなるため、２５Ｖ以下のサンプリング値は、正常・異常判定には用いない。
【００３２】
次に、制御部８が実行する商用電源１００の正常・異常判定処理、及び、トライアック３及びラッチリレー４のＯＮ／ＯＦＦタイミングを、図２のフローチャート及び図３のタイミングチャートを参照しながら説明する。なお、下記の説明に用いるステップＳＴ１・・ステップＳＴ１２とは、図２のフローチャートの各ステップのことである。
【００３３】
まず、制御部８は、商用電源１００が投入された後、常に商用電源１００の瞬時電圧を２５０μｓの周期でサンプリングし（ステップＳＴ１）、そのサンプリング毎の瞬時電圧Ｓｎが、記憶部８１に記憶の上限テーブル波形Ｔｈ１と下限テーブル波形Ｔｈ２との間に入っているか否かを判定する（ステップＳＴ２）。
【００３４】
具体的には、図４に示すように、入力電圧波形（全波整流波形）と、記憶部８１に記憶の上限テーブル波形Ｔｈ１及び下限テーブル波形Ｔｈ２とをゼロクロスでタイミングを合わせた状態で、２５０μｓの周期で瞬時電圧ｓｎを順次サンプリングしていき、その瞬時電圧ｓｎを、その各サンプリング時の上限値及び下限値と比較し、［下限値≦Ｓｎ≦上限値］であるか否かを判定する。その判定結果が肯定判定である場合、ステップＳＴ３においてカウンタ８２を加算する（ｋ＝ｋ＋１）。ステップＳＴ２の判定結果が否定判定である場合、ステップＳＴ４においてカウンタ８２を減算する（ｋ＝ｋ−１）。なお、記憶部８１に記憶の上限テーブル波形Ｔｈ１と下限テーブル波形Ｔｈ２とのタイミング合わせは立ち上げ時（例えば無停電電源装置の設置時）に行う。
【００３５】
いま、商用電源１００が投入された直後に、商用電源１００に異常がない場合、瞬時電圧ｓｎのサンプリング毎にカウンタ８２が「１」ずつ加算されていき、カウンタ８２のカウント値が「３０」となったときに（ステップＳＴ５の判定結果が肯定判定）、商用電源１００が「正常」であると判断する（ステップＳＴ６）。
【００３６】
商用電源１００が「正常」であると判断すると、まずは、ラッチリレー４の状態を確定するため、ラッチリレー４にリセット信号Ｒが供給される。次に、図３に示すように、制御部８からトライアック３に制御信号Ｓｔが供給され、トライアック３が所定時間だけＯＮとなり、Ａ回路が閉路となって負荷２００の商用電源１００からの電力が給電される。また、トライアック３への制御信号ＳｔがＯＮ状態のときに、制御部８からラッチリレー４にセット信号Ｓが供給され、ラッチリレー４がＯＮに保持されてＢ回路が閉路になる。そして、制御信号ＳｔがＯＦＦとなり、これによってＢ回路のみが閉路状態に維持され、商用電源１００からの電力がＢ回路を介して負荷２００に給電される。
【００３７】
なお、商用電源１００が「正常」であると判断した後、２５０μｓの周期でサンプリングする瞬時電圧ｓｎが［下限値≦Ｓｎ≦上限値］の条件を満たしている場合は、ステップＳＴ２の判定結果が常に肯定判定であり、カウンタ８２のカウント値が「１」ずつ加算されるが（ステップＳＴ１〜ＳＴ３）、カウンタ８２のカウント値はｋ＝３０を最大とし、それ以上の加算は行わない。
【００３８】
次に、２５０μｓの周期でサンプリングする瞬時電圧ｓｎが、上限テーブル波形Ｔｈ１と下限テーブル波形Ｔｈ２との間に入らず、瞬時電圧ｓｎが上限値を超えているか、もしくは下限値未満となった場合（ステップＳＴ２の判定結果が否定判定である場合）、ステップＳＴ４においてカウンタ８２を減算（ｋ＝ｋ−１）した後、その減算後のカウント値（現在のカウント値）と最新のカウンタ最大値（ｋ＝３０）との差を求め、その差値が「８」であるか否かを判定する（ステップＳＴ７）。なお、ステップＳＴ４において、カウンタのカウント値はｋ＝０を最小（ｋ≧０）とし、それ以下の減算は行わない。
【００３９】
ステップＳＴ７の判定結果が否定判定である場合、ステップＳＴ１に戻り、次にサンプリングする瞬時電圧ｓｎが［下限値≦Ｓｎ≦上限値］であるか否かを判定し、ステップＳＴ２の判定結果が否定判定である場合、ステップＳＴ４においてカウンタ８２を減算する（ｋ＝ｋ−１）。このように、２５０μｓの周期でサンプリングする瞬時電圧ｓｎが上限値を超えているか、もしくは下限値未満である場合、瞬時電圧ｓｎのサンプリング毎にカウンタ８２が「１」ずつ減算されていき、その減算後のカウント値と最新のカウンタ最大値との差値が「８」となったときには、商用電源１００が異常であると判定する（ステップＳＴ８）。この商用電源異常に要する時間は、商用電源１００の瞬時電圧のサンプリング周期が２５０μｓであり、異常判定の判定値が「８」（異常判定のカウント回数が８回）であるので２ｍｓで済む。
【００４０】
なお、商用電源１００が異常であると判定した後にカウンタ８２をクリアして（ステップＳＴ９）、ステップＳＴ１に戻る。
【００４１】
以上のようにして商用電源１００の異常を判定（検知）すると、商用給電から蓄電エネルギ給電に切り替える。具体的には、図３に示すように、商用電源異常を検知した時点で、制御部８がラッチリレー４にリセット信号Ｒを供給し、ラッチリレー４をＯＦＦに保持してＢ回路を開路とする。このラッチリレー４のＯＦＦにより、商用系統を遮断するとともに、双方向変換回路５を直／交変換に切り替えて蓄電池６の蓄電エネルギを負荷２００に給電する。ここで、この例では、商用電源異常に要する時間は２ｍｓであり、商用系統の遮断を２〜３ｍｓで行えるので、商用電源１００の異常が発生した時点から５ｍｓ以下の時間で商用給電から蓄電エネルギ給電に切り替えることができ、負荷２００に実質上の無瞬断で給電を継続することができる。
【００４２】
また、制御部８は、商用電源１００の異常を判定した後においても、商用電源１００の瞬時電圧ｓｎを２５０μｓの周期でサンプリングしており（ステップＳＴ１）、その瞬時電圧ｓｎが［下限値≦Ｓｎ≦上限値］の条件を満足すると（ステップＳＴ２の判定結果が肯定判定となると）、瞬時電圧ｓｎのサンプリング毎にカウンタ８２が「１」ずつ加算されていき（ステップＳＴ３）、カウンタ８２のカウント値が「３０」となったときに（ステップＳＴ５の判定結果が肯定判定）、商用電源１００が「正常（復帰）」であると判定する（ステップＳＴ６）。
【００４３】
商用電源１００が異常から正常に復帰したと判定したときには、蓄電エネルギ給電から商用給電に切り替える。具体的には、まずは、ラッチリレー４の状態を確定するため、ラッチリレー４にリセット信号Ｒが供給される。次に、図３に示すように、制御部８からトライアック３に制御信号Ｓｔが供給され、トライアック３がＯＮとなり、Ａ回路が閉路となって負荷２００の商用電源１００からの電力が給電される。このようにトライアック３をＯＮとして商用給電を復帰させると、トライアック３の接続時間はほぼゼロに等しい（例えば数μｓ）ため、蓄電エネルギ給電から商用給電に切り替えるにあたり、位相同期と無瞬断切替を実現することができる。
【００４４】
そして、Ａ回路による商用給電を行った後（トライアック３をＯＮとした後）、制御部８からラッチリレー４にセット信号Ｓが供給され、ラッチリレー４がＯＮに保持されてＢ回路が閉路になる。この後、制御信号ＳｔがＯＦＦとなり、これによってＢ回路のみが閉路状態に維持される。このようにして、Ａ回路による商用給電を行った後に、Ｂ回路を閉路し、次いでＡ回路を開放することで、Ａ回路に接続した突入電流防止素子２を時限的に給電回路に投入することができる。さらに、商用給電中に制御部８の故障が発生した場合であっても、商用給電を維持し続けることが可能になる。
【００４５】
ここで、以上の正常・異常判定処理において、ステップＳＴ７の判定（異常判定）に用いる判定値「８」は、商用給電から蓄電エネルギ給電への切替に要する時間及び停電検知の確実性などを考慮して実験により見出した値であり、この例では、ステップＳＴ７の差値（最新のカウンタ最大値と現在のカウント値との差値）が「８」になると、商用電源１００の異常を確実に検知することができる。
【００４６】
また、正常判定に用いる判定値「３０」は、６０Ｈｚ（１６．７ｍｓ）の約１／２周期となるように設定（サンプル周期２５０μｓ×３０回＝７．５ｍｓ）とした。このように正常判定に用いる判定値を６０Ｈｚの約１／２周期とすることにより、正常判定に確実性を持たせることができる。
【００４７】
−他の実施形態−
以上の例では、商用電源１００の瞬時電圧のサンプリング周期を２５０μｓ、異常判定の判定値を「８」としているが、これに限られることなく、異常検知に要する時間が、無瞬断切替を実現できる時間＝５ｍｓから商用系統の遮断に要する時間を差し引いた時間内とすることが可能であれば、それらサンプリング周期及び異常判定の判定値は他の任意の値を設定してもよい。ただし、サンプリング周期及び異常判定の判定値のいずれか一方または双方の値を小さくし過ぎると、商用電源１００が異常と判定（検知）する頻度が多くなるので、その点を考慮する必要がある。なお、異常判定の判定値は、異常判定（検知）を速く行うには小さい方が良く、異常判定（検知）の確実性を高くするには大きい方が良い。
【図面の簡単な説明】
【００４８】
【図１】本発明の無停電電源装置の一例を示す回路構成図である。
【図２】図１の無停電電源装置の制御部が実行する正常・異常判定処理の内容を示すフローチャートである。
【図３】図１の無停電電源装置に動作を示すタイミングチャートである。
【図４】商用電源からの入力電圧波形と上限テーブル波形（上限値）及び下限テーブル波形（下限値）との関係を示す波形図である。
【図５】正弦波ピーク値を中心に５ｍｓ停電する場合の波形例を示す図である。
【符号の説明】
【００４９】
１  無停電電源装置
２  突入電流防止素子
３  トライアック（半導体交流スイッチ）
４  ラッチリレー（自己保持形電磁接触器）
５  双方向変換回路
６  蓄電池
７  制御電源回路
８  制御部
８１  記憶部
８２  カウンタ
９  ダイオードブリッジ
１００  商用電源
２００  負荷
【図１】
2008043144.tif 000003
【図２】
2008043144.tif 000004
【図３】
2008043144.tif 000005
【図４】
2008043144.tif 000006
【図５】
2008043144.tif 000007